(57)【要約】【課題】通信装置間での情報共有機能の精度を損なうことなく、情報共有機能に起因する消費電力の低減を図ることが可能な通信装置、及び通信システムを提供する。【解決手段】携帯端末１００の制御部１１は、近距離無線通信部１４により、アクセサリ端末２００との通信リンクを監視し、検出した受信信号強度と、ユーザが設定した閾値とを比較する。そして検出された受信信号強度が、ユーザが設定した閾値よりも小さい場合にのみ、位置情報及び時刻情報を取得する。そして近距離無線通信部１４を用いて、取得した位置情報及び時刻情報をアクセサリ端末２００へ通知する。これを受けたアクセサリ端末２００は、携帯端末１００との通信リンクを監視し、通信リンクが切断された場合に、受信した最新の位置情報及び時刻情報を表示パネル２３に表示する。【選択図】図１
2014033334.tif 000002
【特許請求の範囲】
【請求項１】
無線通信を行う無線通信部と、
位置情報または時刻情報を取得する情報取得部と、
前記無線通信部により通信リンクが確立されている装置である接続中装置からの受信信号強度を検出する信号強度検出部と、
前記受信信号強度と予め定められた閾値とを比較する信号強度比較部と、
前記比較の結果、前記受信信号強度が前記閾値を下回っている場合に、前記位置情報または前記時刻情報を通知用情報として、前記無線通信部により前記接続中装置へ送信する情報通知部と、を有すること
を特徴とする通信装置。
【請求項２】
前記通知用情報を前記無線通信部により受信して記憶する情報記憶部と、
前記通信リンクの切断を検出する切断検出部と、
前記切断が検出された場合に、該切断が行われた前記通信リンクにより予め受信されて前記情報記憶部に記憶されている前記通知用情報を判別して出力する情報出力部と、を有すること
を特徴とする請求項１に記載の通信装置。
【請求項３】
前記情報出力部は、前記切断が検出された場合に、該切断が行われた前記通信リンクにより予め受信されて前記情報記憶部に記憶されている前記通知用情報であり、且つ最も新しい前記通知用情報を、判別して出力すること
を特徴とする請求項２に記載の通信装置。
【請求項４】
前記無線通信部は、通信網を介さずに無線通信可能な近距離無線通信装置を含み、
前記信号強度検出部は、前記近距離無線通信装置の受信信号強度を検出し、
前記切断検出部は、前記近距離無線通信装置による通信リンクの切断を検出すること
を特徴とする請求項３に記載の通信装置。
【請求項５】
前記情報出力部は、画像を出力する画像表示装置、または音声を出力する音声出力装置を有し、前記切断が検出された場合に、前記通知用情報に基づいて生成した画像または音声を、前記画像表示装置または前記音声出力装置により出力すること
を特徴とする請求項４に記載の通信装置。
【請求項６】
前記情報取得部は、前記無線通信部を用いて予め定められた情報処理装置と通信を行うことにより、前記位置情報または前記時刻情報を取得すること
を特徴とする請求項５に記載の通信装置。
【請求項７】
前記情報取得部は、前記通信装置の現在位置を判別するＧＰＳ（Global Positioning System）装置、または現在時刻を判別する計時部を有し、前記ＧＰＳ装置または前記計時部により前記位置情報または前記時刻情報を取得すること
を特徴とする請求項５に記載の通信装置。
【請求項８】
信号強度比較部が比較に用いる前記閾値の設定を受け付ける閾値設定部を有すること
を特徴とする請求項６または請求項７に記載の通信装置。
【請求項９】
無線通信を行う第１無線通信部、位置情報または時刻情報を取得する情報取得部、及び第１制御部を有する第１通信装置と、
無線通信を行う第２無線通信部、情報の出力を行う情報出力部、及び第２制御部を有する第２通信装置と、を有する通信システムであって、
前記第１制御部は、前記第１無線通信部により通信リンクが確立されている前記第２通信装置からの受信信号強度を検出し、前記受信信号強度が予め定められた閾値を下回っている場合に、前記位置情報または前記時刻情報を通知用情報として、前記第１無線通信部により前記第２通信装置へ送信し、
前記第２制御部は、前記第２無線通信部により前記第１通信装置から受信した前記通知用情報を記憶部に記憶し、前記第１通信装置との通信リンクが切断さたことが検出された場合に、予め該第１通信装置より受信して前記記憶部に記憶されている前記通知用情報を判別して出力すること
を特徴とする通信システム。
【発明の詳細な説明】
【技術分野】
【０００１】
本発明は、データ通信や音声通話等に用いられる通信装置、及びこの通信装置を用いた通信システムに関するものであり、特に通信装置の探索機能を有する通信装置及び通信システムに関する。
【背景技術】
【０００２】
近年、携帯可能な通信装置の進歩、特にその多機能化は著しく、携帯型のコンピュータに近い性能のものが実用化されている。これらの通信装置の中には、通話機能、インターネット接続機能、近距離無線通信機能等を備えたものが存在する。
【０００３】
例えば、携帯電話やスマートフォン等の携帯端末や、さらに小型のウェアラブル（例えば腕時計型やクリップ型）な端末（以下、「アクセサリ端末」という）が実用化されている。携帯端末とアクセサリ端末とは、例えばBluetooth（登録商標）等の近距離無線通信部を搭載し、無線通信によりお互いの動作や情報を連携させることにより、様々な機能を提供することが可能である。
【０００４】
上記の機能の一つとして、複数の通信装置間で、各通信装置の位置情報や時刻情報を定期的に送受信して共有することにより、通信装置を紛失した場合や、或いは通信装置を誤って置き忘れた場合に、その紛失場所や紛失時間を特定する技術が開示・提案されている（例えば特許文献１〜３を参照）。
【先行技術文献】
【特許文献】
【０００５】
【特許文献１】特開２００５−２６０５４３号公報
【特許文献２】特開２０１０−２１３１５２号公報
【特許文献３】特開２００４−２９７２０１号公報
【発明の概要】
【発明が解決しようとする課題】
【０００６】
しなしながら従来技術においては、通信装置間の距離（例えば携帯端末とアクセサリ端末との距離）に関わらず、所定の周期で最新の位置情報及び日時情報を送受信して共有していた。このため、この周期を短くするにつれ、各情報を送受信する頻度が高くなることから、通信装置の消費電力が増加してしまう。一方、送受信する周期を長くするにつれ、通信装置間の距離が大きい場合において、各情報を取得できない可能性が高まるという問題があった。
【０００７】
本発明は、上記問題に鑑みてなされたものであり、その目的は、通信装置間での情報共有機能の精度を損なうことなく、情報共有機能に起因する消費電力の低減を図ることが可能な通信装置、及び通信システムを提供することにある。
【課題を解決するための手段】
【０００８】
上記目的を達成するために、本発明に係る通信装置は、無線通信を行う無線通信部と、位置情報または時刻情報を取得する情報取得部と、前記無線通信部により通信リンクが確立されている装置である接続中装置からの受信信号強度を検出する信号強度検出部と、前記受信信号強度と予め定められた閾値とを比較する信号強度比較部と、前記比較の結果、前記受信信号強度が前記閾値を下回っている場合に、前記位置情報または前記時刻情報を通知用情報として、前記無線通信部により前記接続中装置へ送信する情報通知部と、を有することを特徴とする構成とされている。
【０００９】
なお、上記構成から成る通信装置は、前記通知用情報を前記無線通信部により受信して記憶する情報記憶部と、前記通信リンクの切断を検出する切断検出部と、前記切断が検出された場合に、該切断が行われた前記通信リンクにより予め受信されて前記情報記憶部に記憶されている前記通知用情報を判別して出力する情報出力部と、を有する構成にするとよい。
【００１０】
なお、上記構成から成る通信装置は、前記情報出力部が、前記切断が検出された場合に、該切断が行われた前記通信リンクにより予め受信されて前記情報記憶部に記憶されている前記通知用情報であり、且つ最も新しい前記通知用情報を、判別して出力する構成にするとよい。
【００１１】
なお、上記構成から成る通信装置は、前記無線通信部が、通信網を介さずに無線通信可能な近距離無線通信装置を含み、前記信号強度検出部は、前記近距離無線通信装置の受信信号強度を検出し、前記切断検出部は、前記近距離無線通信装置による通信リンクの切断を検出する構成にするとよい。
【００１２】
なお、上記構成から成る通信装置は、前記情報出力部が、画像を出力する画像表示装置、または音声を出力する音声出力装置を有し、前記切断が検出された場合に、前記通知用情報に基づいて生成した画像または音声を、前記画像表示装置または前記音声出力装置により出力する構成にするとよい。
【００１３】
なお、上記構成から成る通信装置は、前記情報取得部が、前記無線通信部を用いて予め定められた情報処理装置と通信を行うことにより、前記位置情報または前記時刻情報を取得する構成にするとよい。
【００１４】
なお、上記構成から成る通信装置は、前記情報取得部が、前記通信装置の現在位置を判別するＧＰＳ（Global Positioning System）装置、または現在時刻を判別する計時部を有し、前記ＧＰＳ装置または前記計時部により前記位置情報または前記時刻情報を取得する構成にするとよい。
【００１５】
なお、上記構成から成る通信装置は、信号強度比較部が比較に用いる前記閾値の設定を受け付ける閾値設定部を有する構成にするとよい。
【００１６】
また、上記目的を達成するために、本発明に係る通信システムは、無線通信を行う第１無線通信部、位置情報または時刻情報を取得する情報取得部、及び第１制御部を有する第１通信装置と、無線通信を行う第２無線通信部、情報の出力を行う情報出力部、及び第２制御部を有する第２通信装置と、を有する通信システムであって、前記第１制御部は、前記第１無線通信部により通信リンクが確立されている前記第２通信装置からの受信信号強度を検出し、前記受信信号強度が予め定められた閾値を下回っている場合に、前記位置情報または前記時刻情報を通知用情報として、前記第１無線通信部により前記第２通信装置へ送信し、前記第２制御部は、前記第２無線通信部により前記第１通信装置から受信した前記通知用情報を記憶部に記憶し、前記第１通信装置との通信リンクが切断さたことが検出された場合に、予め該第１通信装置より受信して前記記憶部に記憶されている前記通知用情報を判別して出力することを特徴とする。
【発明の効果】
【００１７】
本発明の通信装置及び通信システムによれば、複数の通信装置間の距離が所定距離を超えた場合にのみ、近距離無線通信を行って各種情報を送受信する。このため、通信装置間での情報共有機能の精度を損なうことなく、情報共有機能に起因する消費電力の低減を図ることができる。
【図面の簡単な説明】
【００１８】
【図１】本発明の通信装置の機能構成を示すブロック図である。
【図２】本発明の一実施形態に係る通信装置の内部構成を示すブロック図である。
【図３】本発明の一実施形態に係る情報通知処理を示すフロー図である。
【図４】本発明の一実施形態に係る情報出力処理を示すフロー図である。
【発明を実施するための形態】
【００１９】
以下に、本発明の一実施形態に係る通信装置について、図面を参照しつつ説明する。なお、ここで示す実施形態は一例であり、本発明はここに示す実施形態に限定されるものではない。
〈１．機能構成について〉
【００２０】
図１は、本発明の一実施形態に係る携帯端末１００（＝第１通信装置）、及びアクセサリ端末２００（＝第２通信装置）によって構成される通信システムの機能構成を示すブロック図である。携帯端末１００は、例えば携帯電話やスマートフォン等がこれに該当する。アクセサリ端末２００は、例えば腕時計型コンピュータがこれに該当する。
【００２１】
本実施携帯の携帯端末１００及びアクセサリ端末２００は、近距離無線通信において通信距離が大きくなるとにつれ受信信号強度（RSSI：Received signal strength indicator）が減衰する性質を利用し、相互の距離が所定距離を超えて離れた場合にのみ、位置情報及び時刻情報を通知することを特徴とする。
【００２２】
携帯端末１００は、信号強度検出部１０１、閾値設定部１０２、信号強度比較部１０３、位置情報取得部１０４、時刻情報取得部１０５、及び情報通知部１０６を備えている。またアクセサリ端末２００は、情報記憶部２０１、切断状態検出部２０２、及び情報表示部２０３を備えている。
【００２３】
信号強度検出部１０１は、携帯端末１００とアクセサリ端末２００との間の受信信号強度を検出する。閾値設定部１０２は、受信信号強度の閾値の指定を、ユーザより受け付ける。信号強度比較部１０３は、取得された受信信号強度と閾値とを比較する。
【００２４】
位置情報取得部１０４は、何らかの位置ソース（例えばＧＰＳや測位航法装置等）より、携帯端末１００現在位置を示す位置情報を取得する。時刻情報取得部１０５は、何らかの時刻ソース（例えば時刻サーバや計時回路等）より現在時刻を示す時刻情報を取得する。情報通知部１０６は、取得された位置情報及び時刻情報を、アクセサリ端末２００へ通知する。
【００２５】
情報記憶部２０１は、情報通知部１０６より通知された位置情報及び時刻情報を受信して記憶する。切断状態検出部２０２は、携帯端末１００とアクセサリ端末２００との近距離無線通信の通信リンクが切断された場合に、これを検出する。情報表示部２０３は、情報通知部１０６より通知されて情報記憶部２０１により記憶された、位置情報及び時刻情報を表示する。
【００２６】
以上に説明した構成の携帯端末１００は、信号強度検出部１０１により受信信号強度を検出した後、信号強度比較部１０３により、受信信号強度がユーザ設定された閾値より低いか否かを判定する。そして低いと判定された場合、言い換えると携帯端末１００とアクセサリ端末２００との間の距離が所定距離以上に広がった場合に、位置情報取得部１０４と時刻情報取得部１０５とを用いて、現在の位置情報及び時刻情報を取得する。
【００２７】
そして情報通知部１０６が、アクセサリ端末２００に対して、位置情報及び時刻情報を含むデータを送信する。これを受けたアクセサリ端末２００の情報記憶部２０１は、このデータをメモリ等の記憶媒体に記憶する。その後アクセサリ端末２００は、切断状態検出部２０２により、携帯端末１００とアクセサリ端末２００との通信リンクの監視を行う。そして通信リンクの切断が検出された場合に、情報記憶部２０１が記憶した情報の中で最も新しく記憶された現在位置情報及び時刻情報を、情報表示部２０３を用いて表示する。
〈２．装置構成について〉
【００２８】
次に、上記で説明した各機能を実現するための装置構成について、図面を用いつつ説明する。図２は、本発明の一実施形態に係る携帯端末１００、及びアクセサリ端末２００の装置構成の一例を示したブロック図である。
【００２９】
携帯端末１００は、制御部１１と、入力キー１２と、表示パネル１３と、近距離無線通信部１４と、メモリ１５と、無線通信部１６と、ＧＰＳ（Global Positioning System）装置１７と、を有するように構成される。
【００３０】
制御部１１は、携帯端末１００を構成する各部の動作を制御することにより、通話処理や画面表示処理等を行う機能部である。また制御部１１は、データの計算、加工処理等を行う中枢部分となっている。より具体的には制御部１１は、例えばＣＰＵ（ハードウェア）と、ＣＰＵが所定のプログラムを実行することにより動作するＯＳやアプリケーション（ソフトウェア）とにより実現される。
【００３１】
なお本実施形態の制御部１１は、先述した信号強度比較部１０３として機能する。また、以下で説明する各装置と連動することにより、信号強度検出部１０１、閾値設定部１０２、位置情報取得部１０４、時刻情報取得部１０５、及び情報通知部１０６として機能する。
【００３２】
入力キー１２は、移動元ユーザが制御部１１に対して各種指示を行うためのキーパッドやタッチパネル等を含む。入力キー１２により受け付けた操作指示は、制御部１１に送られ、携帯端末１００の各部を制御するのに用いられる。なお本実施形態の入力キー１２は、先述した閾値設定部１０２の一部として機能する。より具体的には入力キー１２は、受信信号強度の閾値の入力を、ユーザより受け付けるのに用いられる。
【００３３】
表示パネル１３は、液晶ディスプレイ等の表示装置と、これを駆動するドライバ等から構成される。ドライバは、画像データのデコードを行い、液晶ディスプレイの各画素電極に対して駆動電圧を印加する。これを受けた液晶ディスプレイは、印加された駆動電圧に基づいて画像を表示する。
【００３４】
近距離無線通信部１４は、無線ＬＡＮ（Local Area Network）等のネットワークを介することなく、他通信装置と比較的近距離（例えば数メートル）の通信を行うための通信インタフェースである。より具体的には、Bluetooth（登録商標）規格の無線通信モジュール（＝近距離無線通信装置）等を含む。
【００３５】
近距離無線通信部１４と後述する無線通信部１６との違いとしては、例えば近距離無線通信部１４は、事前に接続機器同士で相互認証（ペアリング）を行った後、通信を行うことがあげられる。
【００３６】
なお本実施形態の近距離無線通信部１４は、先述した信号強度検出部１０１、及び情報通知部１０６の一部として機能する。より具体的には、アクセサリ端末２００との通信リンクの受信信号強度を監視する。また、アクセサリ端末２００との間で、位置情報や時刻情報を送受信するのに用いられる。
【００３７】
メモリ１５は、プログラムや各種設定情報、または制御部１１が各種処理を実施する際の一時データ等を記憶する、読み書き可能な記憶媒体である。なお本実施形態のメモリ１５は、取得された位置情報や時刻情報を一時的に記憶するのに用いられる。
【００３８】
無線通信部１６は、近距離無線通信部１４とは異なる通信方式により、ネットワークを介した無線通信を行うための通信インタフェースである。無線通信部１６は、アンテナ、増幅回路、及び復調回路等を含むように構成されている。
【００３９】
より具体的には、無線通信部１６は、無線ＬＡＮや携帯電話網等のネットワークに接続して通信を行う。無線通信部１６の通信方式は、近距離無線通信部１４の通信方式と比較して通信距離が長く（例えば数十メートルから数キロ）、また不特定多数の通信装置に対して同一情報を送ることが可能であることを特徴とする。
【００４０】
なお本実施形態の無線通信部１６は、先述した時刻情報取得部１０５として機能する。より具体的には、インターネット等を介して接続可能なＮＴＰ（Network Time Protocol）サーバ等と通信を行うことにより、時刻情報を取得する。
【００４１】
ＧＰＳ装置１７は、不図示のＧＰＳアンテナを用いて、ＧＰＳ衛星から発せられる特定の電波を受信するための受信機である。ＧＰＳアンテナは、複数のＧＰＳ衛星から各ＧＰＳ衛星の座標情報等を含む信号を受信することが可能である。
【００４２】
ＧＰＳ装置１７は、ＧＰＳアンテナで受信した信号をデコードして所定の演算を行うことにより、携帯端末１００の現在位置を示す緯度経度情報を生成する。なお本実施形態のＧＰＳ装置１７は、先述した位置情報取得部１０４として機能する。
【００４３】
次に、アクセサリ端末２００について説明する。アクセサリ端末２００は、制御部２１と、入力キー２２と、表示パネル２３と、近距離無線通信部２４と、メモリ２５と、を有して構成される。
【００４４】
本実施形態の制御部２１は、制御部１１と同様、例えばＣＰＵ（ハードウェア）と、ＣＰＵが所定のプログラムを実行することにより動作するＯＳやアプリケーション（ソフトウェア）とにより実現される。また制御部２１は、以下で説明する各装置と連動することにより、先述した情報記憶部２０１、切断状態検出部２０２、及び情報表示部２０３として機能する。
【００４５】
入力キー２２〜メモリ２５については、入力キー１２〜メモリ１５とほぼ同様の構成であるため、詳細な説明を省略する。なお、本実施携帯の表示パネル２３は、先述した情報表示部２０３として機能する。また本実施携帯の近距離無線通信部２４は、先述した情報記憶部２０１及び切断状態検出部２０２として機能する。また本実施携帯のメモリ２５は、先述した情報記憶部２０１として機能する。
【００４６】
〈３．情報通知処理について〉
ここで、携帯端末１００における情報通知処理の詳細について、図３のフロー図を用いつつ説明する。なお本実施携帯の情報通知処理は、例えば携帯端末１００の電源が起動されたことをトリガとして開始される。
【００４７】
まず、制御部１１は、入力キー１２によりユーザより受信信号強度の閾値を受け付け、これを設定する（ステップＳ１１０）。なお、以前にステップＳ１１０が実施され、且つ以前に受け付けた閾値がメモリ１５等に記憶されている場合、ステップＳ１１０を省略する形態でもよい。
【００４８】
次に制御部１１は、近距離無線通信部１４により、アクセサリ端末２００との通信リンクを監視し、アクセサリ端末２００から受信している受信信号の強度を示す、受信信号強度を検出する（ステップＳ１２０）。次に制御部１１は、検出した受信信号強度とユーザが設定した閾値とを比較する（ステップＳ１３０）。
【００４９】
次に制御部１１は、上記比較の結果、検出された受信信号強度が、ユーザが設定した閾値よりも小さいか否かを判定する（ステップＳ１４０）。小さくない場合、再びステップＳ１１０へ移行する。小さい場合、制御部１１は、ＧＰＳ装置１７を用いて、携帯端末１００の現在位置を示す位置情報を取得する（ステップＳ１５０）。
【００５０】
次に制御部１１は、無線通信部１６（または不図示の時計回路）を用いて、現在時刻を示す時刻情報を取得する（ステップＳ１６０）。次に制御部１１は、近距離無線通信部１４を用いて、取得した位置情報及び時刻情報をアクセサリ端末２００へ通知する（ステップＳ１７０）。通知が完了すると、再びステップＳ１２０へ移行する。
【００５１】
なお、通知が完了した後に、所定時間だけウェイトを行った後にステップＳ１２０へ移行する形態でもよい。また、以上で説明した処理のループは、例えば携帯端末１００の電源停止指示が検知された場合等に、処理ステップに関係なく終了する。
【００５２】
〈４．情報出力処理について〉
ここで、アクセサリ端末２００における情報出力処理の詳細について、図４のフロー図を用いつつ説明する。なお本実施携帯の情報出力処理は、例えばアクセサリ端末２００の電源が起動されたことをトリガとして開始される。
【００５３】
まず、制御部２１は、携帯端末１００より、上述した位置情報及び時刻情報を近距離無線通信部２４により受信したか否かを判定する（ステップＳ２１０）。受信していない場合、後述するステップＳ２３０へ移行する。受信した場合、制御部２１は、受信した位置情報及び時刻情報をメモリ２５に記憶する（ステップＳ２２０）。なおこの際、既に記憶されている古い位置情報及び時刻情報が存在する場合、これを破棄する形態でもよいし、或いは破棄せずに複数世代の位置情報及び時刻情報を記憶及び管理する形態でもよい。
【００５４】
次に制御部２１は、近距離無線通信部２４を用いて、携帯端末１００との通信リンクの状態を検出する（ステップＳ２３０）。次に制御部２１は、上記検出の結果、通信リンクが切断されているか否かを判定する（ステップＳ２４０）。切断されていない場合、再びステップＳ２１０へ移行する。
【００５５】
切断されている場合、制御部２１は、メモリ２５に記憶されている位置情報及び時刻情報のうち、最も新しく記憶された位置情報及び時刻情報を、表示パネル２３を用いて表示した後（ステップＳ２５０）、本処理を終了する。なお、ステップＳ２５０の完了後、所定時間だけウェイトを行った後、再び本処理を開始する形態でもよい。
【００５６】
以上に説明した実施形態によれば、通信端末１００とアクセサリ端末２００と装置間距離が離れ、受信信号強度が閾値を下回った場合にのみ、位置情報及び時刻情報の共有を行う。このため、所定の周期で最新の位置情報及び日時情報を常に共有する場合と比較して、消費電力の低減を図ることができる。
【００５７】
また本実施形態によれば、受信信号強度が閾値を下回り、通信リンクが切断される可能性が発生した場合に、切断前の段階で最新の位置情報及び日時情報を共有できる。このため、情報共有の精度を損なうこともない。従って、ユーザが通信端末１００を紛失した場合や、或いは通信端末１００を誤って置き忘れた場合に、その紛失場所や紛失時間を特定するのを、適切に補助することができる。
［その他の実施の形態］
【００５８】
以上、好ましい実施の形態及び実施例を挙げて本発明を説明したが、本発明は必ずしも上記実施の形態に限定されるものではなく、その技術的思想の範囲内において様々に変形して実施することができる。
【００５９】
従って本発明は、以下の形態にも適用可能である。
【００６０】
（Ａ）上記実施形態では、制御部１１及び制御部２１が、ＣＰＵ（ハードウェア）とプログラム（ソフトウェア）との組み合わせにより実現されているが、複数の電子回路の組み合わせにより実現される形態でもよい。
【００６１】
（Ｂ）上記実施形態では、本発明の情報通知処理及び情報出力処理を実施する通信装置として携帯端末１００及びアクセサリ端末２００を例示しているが、本発明はこれらの通信装置に限定されるものではなく、例えばＰＨＳ（Personal Handyphone System）、ＰＤＡ、スマートフォン、ハンドヘルドＰＣ、クリップ型端末、通信機能付きオーディオプレーヤ等の通信装置において実施される形態でもよい。
【００６２】
（Ｃ）上記実施形態では、近距離の無線通信方式としてBluetooth（登録商標）例示しているが、これ以外の無線通信方式を用いる形態でもよい。例えば、ＵＷＢ（Ultra Wide Band）等を使用する形態でもよい。
【００６３】
（Ｄ）上記実施形態では、携帯端末１００で取得した位置情報及び時刻情報を、通信リンクが切断された場合にアクセサリ端末２００で表示しているが、アクセサリ端末２００が位置情報取得部１０４及び時刻情報取得部１０５と同様の機能を備えている場合、この逆を実施する形態でもよい。つまり、アクセサリ端末２００で取得した位置情報及び時刻情報を、受信信号強度が低下した場合に携帯端末１００へ送信し、通信リンクが切断された場合に、携帯端末１００でこの位置情報及び時刻情報を表示する形態でもよい。或いは、携帯端末１００及びアクセサリ端末２００の両方において、受信信号強度の監視、情報の取得、通知、通信リンクの切断検知、及び情報表示の全てを、相互に行う形態でもよい。
【００６４】
（Ｅ）上記実施形態では、通信リンクが切断された場合にアクセサリ端末２００で位置情報及び時刻情報を示す画像を表示しているが、これらの情報の内容を示す音声を生成し、不図示のスピーカにより出力する形態でもよい。
【符号の説明】
【００６５】
１００    携帯端末（通信装置、第１通信装置）
１０１    信号強度検出部
１０２    閾値設定部
１０３    信号強度比較部
１０４    位置情報取得部（情報取得部）
１０５    時刻情報取得部（情報取得部）
１０６    情報通知部
１１    制御部（第１制御部）
１２    入力キー
１３    表示パネル
１４    近距離無線通信部（第１無線通信部）
１５    メモリ
１６    無線通信部
１７    ＧＰＳ装置
２００    アクセサリ端末（通信装置、第２通信装置）
２０１    情報記憶部
２０２    切断状態検出部
２０３    情報表示部
２１    制御部（第２制御部）
２２    入力キー
２３    表示パネル
２４    近距離無線通信部（第２無線通信部）
２５    メモリ
【図１】
2014033334.tif 000003
【図２】
2014033334.tif 000004
【図３】
2014033334.tif 000005
【図４】
2014033334.tif 000006